(57)【特許請求の範囲】
【請求項１】
コンクリート構造物に埋め込むボックス本体の背板部の内面に設けた該ボックス本体を補強する補強部材を、コンクリート型枠内に注入したコンクリート固化後に内部機器取付板の背面を保持するように背板部に対して前後移動調節自在としたことを特徴とする埋め込み型盤用ボックス。
【請求項２】
ボックス本体の開口部の内側に対向して設けたフランジ部にネジ保持孔を設け、フランジ部の前面から該ネジ保持孔に挿通した雄ネジを回動させて該雄ネジの先方に螺合した補強部材を背板部に対して前後移動調節自在とした請求項１に記載の埋め込み型盤用ボックス。
【請求項３】
補強部材を背板部に当接した状態で固定できる取付部を設けた請求項１または２に記載の埋め込み型盤用ボックス。
【請求項４】
補強部材の端部が臨むボックス本体の内面にレベル調整用の表示部を設けた請求項１または２または３の何れかに記載の埋め込み型盤用ボックス。
【発明の詳細な説明】
【技術分野】
【０００１】
本発明は、分電盤、配電盤等の盤類をコンクリート構造物に埋め込んで設置するための埋め込み型盤用ボックスに関するものである。
【背景技術】
【０００２】
埋め込み型盤用ボックスは、型枠内に注入する生コンの圧力により変形することを防止するため、ボックス本体の背板部の内面に補強部材を取り付けて対応している（参考文献１参照）。しかし、この補強部材はコンクリート固化後においては用済みなものとなり、外の機能もないものであった。また、内装仕上のためコンクリート表面に石膏ボード、セラミックパネル等の内装材を貼り付けた場合に、内装材の厚み分ボックス本体の奥行が深くなるため、ブレーカ等を取り付けるための内部機器取付板をその分前方に位置させて取り付けなければならず、内部機器取付板の背面がボックス本体の背板部に保持されないこととなる。そのため、内部機器取付板の面積が大きい場合にはブレーカの取り付け、配線工事等の際に該内部機器取付板が変形する虞がある。これを解消するために板厚を厚くするか、金型でビードなどを付けて強度を上げる必要がある。
【０００３】
また、内部機器取付板の強度を上げずに、内部機器取付板の背面をネジによりボックス本体の背板部に保持させる手段もある。しかし、これは内部機器取付板の前後位置に合わせた長さのネジを用意する必要があり、また、４本のネジを四角状に配置させて保持しなければならず、各ネジを個別に調整するため内部機器取付板が所定の位置に合わせることが難しい問題がある。さらに、ネジが配線作業の邪魔になったり、最悪電線を傷つける虞がある。
【特許文献１】特開２００２−１４２３１３号公報（図１）
【発明の開示】
【発明が解決しようとする課題】
【０００４】
本発明は前記のような問題点を解決して、型枠内に注入する生コンの圧力により変形することを防止することは勿論、コンクリート固化後においては内部機器取付板の奥行き方向の前後位置を調整できる補強部材を設けた埋め込み型盤用ボックスを提供することである。
【課題を解決するための手段】
【０００５】
本発明の埋め込み型盤用ボックスは、コンクリート構造物に埋め込むボックス本体の背板部の内面に設けた該ボックス本体を補強する補強部材を、コンクリート型枠内に注入したコンクリート固化後に内部機器取付板の背面を保持するように背板部に対して前後移動調節自在としたことを特徴とするものを基本の発明とする。そして、この発明において、ボックス本体の開口部の内側に対向して設けたフランジ部にネジ保持孔を設け、フランジ部の前面から該ネジ保持孔に挿通した雄ネジを回動させて該雄ネジの先方に螺合した補強部材を背板部に対して前後移動調節自在とすることが好ましい。
【０００６】
また、これらの発明において、補強部材を背板部に当接した状態で固定できる取付部を設けたものとすることが好ましく、さらに、補強部材の端部が臨むボックス本体の内面にレベル調整用の表示部を設けることが好ましいものである。
【発明の効果】
【０００７】
前記のような本発明に係る埋め込み型盤用ボックスは、コンクリート構造物に埋め込むため型枠内に設置する際には補強部材をボックス本体の背板部に取り付けた状態としておくことにより、型枠内に注入する生コンの圧力により変形することを防止するものである。そして、コンクリート固化後に型枠を外させばボックス本体の前面の開口部がコンクリート構造物の壁面に臨んで埋め込み設置されることとなる。そうすれば、補強部材はボックス本体内に組込む内部機器取付板の背面を保持するように背板部に対して前後移動調節自在としているので、内装仕上のためコンクリート表面に貼り付けた内装材の厚み分ボックス本体の奥行が壁面表面から深くなっても内部機器取付板はその背面を前記補強部材に保持させてボックス本体の前方側に設置できるので、内部機器取付板自体に強度を持たせなくとも、内部機器取付板にブレーカ等の電気機器を取り付ける際に該内部機器取付板が変形する虞がないものである。
【０００８】
また、ボックス本体の前面開口の内側に対向して設けたフランジ部にネジ保持孔を設け、フランジ部の前面から該ネジ保持孔に軸支した雄ネジを回動させて該雄ネジの先方を補強部材のネジ孔に螺合して該補強部材を背板部に対して前後移動調節自在としたものとすると、フランジ部の前面から雄ネジを回動させることにより、補強部材の前後位置を容易に調節できるうえ、内部機器取付板を組込んだ後においても調節できるものである。
【０００９】
また、補強部材の背面を背板部に当接した状態で固定できる取付部を設けたものとすることにより、型枠内に設置する際のボックス本体の背板部の強度をより強くすることができる。さらに、補強部材の端部が臨むボックス本体の内面にレベル調整用の表示部を設けておけば、この表示部を見ることにより補強部材の位置を確認でき、該補強部材に背面を保持させる内部機器取付板の前後位置を正確に知ることができるものである。
【発明を実施するための最良の形態】
【００１０】
次に、本発明の好ましい実施の形態を図面に基づき説明する。
図１において、１は四角状の背板部１１の周縁前方に上下板部１２、１３と左右板部１４、１５を連設して前面を開口部１６に形成したボックス本体である。該ボックス本体１の背板部１１の内面にはコンクリート型枠内に設置する際に注入するコンクリート圧に耐えるためボックス本体１の背板部１１を補強する複数本すなわち３本の補強部材２がネジ止めして取り付けてある。
【００１１】
この補強部材２のうち背板部１１の中央に取り付けた中央の補強部材２（２１）は、コンクリート型枠内に注入したコンクリート固化後にボックス本体１内に組込む後記する内部機器取付板５の背面を保持するように背板部１１に対して前後移動調節自在にとしたものである。この補強部材２（２１）を前後移動調節自在にする手段としては、図示のものはボックス本体１の開口部１６の内側に対向して設けたフランジ部１６１、１６１にネジ保持孔１６１ａを設け、フランジ部１６１の前面から該ネジ保持孔１６１ａに挿通した雄ネジ１７の先方を補強部材２１に設けた雌ネジ部２１ｂに螺合して該雄ネジ１７を回動させて該雄ネジ１７の回動により雌ネジ部２１ｂが相対的に前後移動して中央補強部材２１を背板部１１に対して前後移動調節自在としたものである。なお、前記雄ネジ１７は首部１７ａをネジ谷部より小径の無ネジ部に形成して、ネジ孔に形成したネジ保持孔１６１ａにネジ部１７ｂを螺合して挿通したうえ無ネジ部である首部１７ａを抜け出ることなく回動自在に保持するように構成するこのが好ましい。また、図４及び図７に示すようにフランジ部１６１と補強部材２１との間に押しばね１８を雄ネジ１７に囲装させて介在させて補強部材２１が常時背板部１１に付勢させ雄ネジ１７ががたつくことなく回動して的確に前後移動調節できるものとしている。
【００１２】
なお、背板部１１には、図５に示すように前記中央の補強部材２１を背板部１１に当接した状態で固定できる取付部１１１が設けてある。この取付部１１１は背板部１１の一部を内面側に突出させた凸状部１１１ａにネジ孔１１１ｂを設けて形成したものであり、補強部材２１に設けたネジ保持孔２１ｃから挿通した取付ネジ３をネジ孔１１１ｂに螺合して補強部材２１の両側背面に折曲形成した補強リブ２１１、２１１の先端を背板部１１に当接した状態で固定するものである。そして、該補強部材２１はコンクリート固化後にボックス本体１内に内部機器取付板５を組込む際に前方に移動させる必要がある場合に、前記取付ネジ３を外して背板部１１からの固定を解除して前記したように雄ネジ１７を回動させて補強部材２１を背板部１１に対して前後移動調節自在な状態とする。なお、取付ネジ３は図示のように軸部が短くコンクリートに埋設する長さが少ないので容易にコンクリートから抜け出すことができるものである。
【００１３】
また、補強部材２のうち背板部１１の左右内面に取り付けた左右の補強部材２２、２２はボックス本体１を補強するとともに、ボックス本体１をコンクリート型枠内に的確に固定するための取付ボルト２６を着脱自在に取り付けできる機能をもつものである。すなわち、図２に示すように各補強部材２２は、上下にナット部２５を設けて、該ナット部２５に取付ボルト２６の先端を螺合して、該ボルト２６の基端を型枠パネル（イ）に設けた貫通孔から張出させて該ボルト２６の基端にナット２７を螺合して、ボックス本体１は開口部１６の周縁前面を型枠パネル（イ）の内面に当接して該型枠パネル（イ）に取り付けるものである。なお、この場合に開口部１６の周縁前面を型枠パネル（イ）の内面との間には生コンクリートが入り込まないための養生を的確に行うこと、及びボックス本体１内に電線引き込むための配管を型枠内に予め組込んでおくことは勿論である。
【００１４】
４は中央の補強部材２１の端部が臨むボックス本体１の内面すなわち上下板部１２、１３の内面に設けたレベル調整用の表示部であり、該表示部４は中央部補強部材２１の端部が該表示部４に設けた多数の目印線４１のどの位置にあるかを視認することにより、補強部材２１に背面を保持させる内部機器取付板５の前後位置を正確に知ることができるものである。
【００１５】
５はボックス本体１内に組込む内部機器取付板であり、該内部機器取付板５は取付板本体５１の両側前方に起立板部５２、５２を張設して、該起立板部５２、５２の先端に外向きに取付片部５３、５３を折曲形成したものである。そして、取付片部５３、５３の先端はボックス本体１の左右板部１４、１５の外側に張出するものとして、ボックス本体１を埋め込んだコンクリート構造物（ロ）の壁面に臨むものとし、該壁面に取付片部５３、５３を係止したうえ取付片部５３、５３に設けたボルト挿通孔５３ａから挿通したボルト５５を前記ボックス本体１の開口部１６の内側に対向して、すなわち左右板部１４、１５の先端に内向きに形成して設けたフランジ部１６２、１６２に設けた雌ネジ部に１６２ａに螺合して、取付片部５３、５３をボルト５５の締付により壁面に当接して取り付けるものである。
【００１６】
これにより、内部機器取付板５の取付板本体５１はコンクリート構造物（ロ）の壁面から、一定の奥行に位置されてボックス本体１に組込まれるので、取付板本体５１の取付片部５３、５３に設けたカバー取付部５４に取り付けてボックス本体１の開口部１６を閉じるカバー６と取付板本体５１との間隔は壁面に内装材の有無、厚さに係わらず一定であるから、取付板本体５１にブレーカ等の機器を取り付ける際に内装材の有無、厚さに対応させた前後位置の調整を不要とするものである。
【００１７】
すなわち、図４、図５に示すようにコンクリート構造物（ロ）の壁面に内装材を貼付しないものであっても、図７、図８に示すようにコンクリート構造物（ロ）の壁面に内装材（ハ）を貼付したものであっても、内部機器取付板５の取付板本体５１はコンクリート構造物（ロ）の壁面から、一定の奥行に位置されてボックス本体１に組込まれるものである。
【００１８】
そして、前記したように、補強部材２のうち背板部１１の中央に取り付けた中央の補強部材２（２１）は、コンクリート型枠内に注入したコンクリート固化後にボックス本体１内に組込む内部機器取付板５の背面を保持するように背板部１１に対して前後移動調節自在にとしたものであるから、図４、図５に示すようにコンクリート構造物（ロ）の壁面に内装材を貼付しないものにあっては補強部材２（２１）をボックス本体１の背板部１１に取り付けた状態のままで内部機器取付板５の背面を保持させる。
【００１９】
また、図７、図８に示すようにコンクリート構造物（ロ）の壁面に内装材（ハ）を貼付したものにあっては、補強部材２（２１）の背板部１１からの取付ネジ３による固定を解除して、前記したように雄ネジ１７を回動させて補強部材２１を背板部１１に対して前後移動調節自在な状態として、雄ネジ１７を回動させて該雄ネジ１７の回動により補強部材２１の雌ネジ部２１ｂが相対的に前後移動して中央の補強部材２１を内部機器取付板５の背面を保持させるものである。なお、図示のものは、内部機器取付板５の背面を補強部材２１により直接保持せずホルダー部材８を補強部材２１に取り付け保持するものとしているが直接保持させてもよく、さらに、前後移動調節自在にとした補強部材２１は複数としてもよい。なお、この実施形態のほかにもコンクリート固化後にボックスの形状分を削った後、ボックスを固定する場合にも補強部材２１を前後位置を調整して設置できるものである。
【図面の簡単な説明】
【００２０】
【図１】本発明の実施形態を示す斜視図。
【図２】本発明の実施形態を型枠にセットした状態で示す斜視図。
【図３】ボックス本体にブレーカを取り付けた内部機器取付板を組込んで示す斜視図。
【図４】コンクリート構造物の壁面に内装材を貼付しない状態の使用例を示す断面図。
【図５】コンクリート構造物の壁面に内装材を貼付しない状態の使用例を示す一部拡大断面図。
【図６】コンクリート構造物の壁面に内装材を貼付しない状態の使用例を示す部分斜視図。
【図７】コンクリート構造物の壁面に内装材を貼付した状態の使用例を示す断面図。
【図８】コンクリート構造物の壁面に内装材を貼付した状態の使用例を示す一部拡大断面図。
【図９】コンクリート構造物の壁面に内装材を貼付した状態の使用例を示す部分斜視図。
【符号の説明】
【００２１】
１  ボックス本体
11  背板部
16  開口部
161  フランジ部
161a  ネジ保持孔
17  雄ネジ
111  取付部
２  補強部材
４  表示部
５  内部機器取付板
【図１】
0004674858.tif 000002
【図２】
0004674858.tif 000003
【図３】
0004674858.tif 000004
【図４】
0004674858.tif 000005
【図５】
0004674858.tif 000006
【図６】
0004674858.tif 000007
【図７】
0004674858.tif 000008
【図８】
0004674858.tif 000009
【図９】
0004674858.tif 000010